(57)【特許請求の範囲】
【請求項１】
登録情報記憶部と、
医用装置のDICOM通信クライアントから前記医用装置の識別情報及び前記医用装置が新規にDICOM通信に接続された新規装置であるか前記DICOM通信に接続されていた既存装置であるのかを示す情報を含む装置情報の登録要求を受けて前記登録情報記憶部に前記装置情報を書き込む登録部と、
前記登録情報記憶部に新規装置の識別情報と同一の既存装置の識別情報が記憶されている場合に前記新規装置の識別情報を変更する変更部と、
を備えるDICOM通信システム。
【請求項２】
DICOM通信サーバと、
ネットワークを介して前記DICOM通信サーバと接続され、医用装置に設けられたDICOM通信クライアントとを備え、
前記DICOM通信クライアントは、
前記医用装置の識別情報及び前記医用装置が新規にDICOM通信に接続された新規装置であるか前記DICOM通信に接続されていた既存装置であるのかを示す情報を含む装置情報を記憶する装置情報記憶部と、
前記装置情報の登録要求を前記DICOM通信サーバに前記ネットワークを介して送信する登録要求部とを有する一方、
前記DICOM通信サーバは、
登録情報記憶部と、
前記装置情報の登録要求を受けて前記登録情報記憶部に前記装置情報を書き込む登録部と、
前記登録情報記憶部に新規装置の識別情報と同一の既存装置の識別情報が記憶されている場合に前記新規装置の識別情報を変更する変更部と、
を備えるDICOM通信システム。
【請求項３】
前記新規装置のDICOM通信クライアントから変更後の識別情報の検索要求を前記ネットワークを介して受けた場合に、前記変更後の識別情報を前記登録情報記憶部から取得して前記新規装置のDICOM通信クライアントに前記ネットワークを介して送信する検索応答部を更に備える請求項１又は２記載のDICOM通信システム。
【請求項４】
前記DICOM通信クライアントは、前記変更後の識別情報を用いて前記装置情報記憶部に記憶された識別情報を更新する変更部を更に備える請求項２記載のDICOM通信システム。
【請求項５】
コンピュータを、
医用装置のDICOM通信クライアントから前記医用装置の識別情報及び前記医用装置が新規にDICOM通信に接続された新規装置であるか前記DICOM通信に接続されていた既存装置であるのかを示す情報を含む装置情報の登録要求を受けて記憶部に前記装置情報を書き込む登録部、及び
前記記憶部に新規装置の識別情報と同一の既存装置の識別情報が記憶されている場合に前記新規装置の識別情報を変更する変更部、
として機能させるDICOM通信プログラム。
【発明の詳細な説明】
【技術分野】
【０００１】
本発明の実施形態は、DICOM通信システム及びDICOM通信プログラムに関する。
【背景技術】
【０００２】
医療画像データの通信規格としてDICOM (Digital Imaging and Communications in Medicine)が知られている。医用装置のサービスエンジニア等のユーザは、医用装置を設置してネットワークに接続する際に医用装置ごとに接続条件を設定している。ネットワークに接続された各医用装置は、アプリケーションレベルではAE (Application Entity)を識別するためのAEタイトルで相互の認識が行われる。
【０００３】
従って、新たに医用装置をネットワークに接続する場合、AEタイトルのユニーク性を確保する必要がある。そこで、AEタイトル専用のレジストリ（登録簿）が用意され、AEタイトルが重複して設定されないように管理されている。そして、AEタイトルが重複している場合には、ユーザがAEタイトルを変更して再登録することが必要となる。
【０００４】
また、DICOM通信では、拡張仕様が補遺(Supplement)として作成されている。DICOM Supplement 67 - Configuration Management は、DICOM通信の専用サーバに各医用装置の情報を保存し、保存された医用装置の情報をその医用装置から更新(Update)するための仕様と、DICOM通信の専用サーバに保存された他の医用装置の情報を検索(Query)するための仕様を規定している。つまり、専用サーバに保存された医用装置のAEタイトル等の自局情報を更新する仕様と、専用サーバにアクセスして医用装置の他局情報を検索する仕様がSupplement 67に定められている。
【先行技術文献】
【特許文献】
【０００５】
【特許文献１】特開２００６−２８５３７６号公報
【発明の概要】
【発明が解決しようとする課題】
【０００６】
しかしながら、医用画像データ通信へのSupplement 67の導入は進んでいない。これは、複数の医用装置が相互に接続された既存のDICOM通信ネットワークにSupplement 67用の専用サーバを新たに設置すると、既存の医用装置を含む全ての医用装置のAEタイトルの登録が必要となることに起因している。すなわち、新規装置を新たに接続し、既存装置のAEタイトルと同じAEタイトルを先に新規装置用に専用サーバに登録してしまうと、既存装置のAEタイトルの専用サーバへの登録ができなくなる。この場合、既存装置のUpdateトランザクションがエラーとなり、既存装置のAEタイトルを変更せざるを得なくなる。このため、既存のAEタイトルを用いたDICOM通信の運用ができなくなる。
【０００７】
AEタイトルの重複登録を避け、既存のAEタイトルを用いたDICOM通信の運用を続けるためには、全ての既存装置のAEタイトルを全て抽出し、重複しないAEタイトルを新規装置に割り当てることも考えられる。しかしながら、そのためには専用サーバから各既存装置にAEタイトルを問い合わせて登録する仕組みが新たに必要となる。更に、画像診断装置等の医用装置が撮像中である場合に専用サーバからの問い合わせがあると、撮像に悪影響がでる恐れがある。従って、専用サーバが既存装置に問い合わせることは、医療安全の観点から好ましくない。
【０００８】
本発明は、DICOM通信において、AEタイトル等の医用装置ごとの情報をサーバに登録して更新する仕様や他の医用装置の情報をサーバから検索する仕様等の拡張仕様を既存の運用に影響を与えることなく導入することが可能なDICOM通信システム及びDICOM通信プログラムを提供することを目的とする。
【課題を解決するための手段】
【０００９】
本発明の実施形態に係るDICOM通信システムは、登録情報記憶部、登録部及び変更部を備える。登録部は、医用装置のDICOM通信クライアントから前記医用装置の識別情報及び前記医用装置が新規にDICOM通信に接続された新規装置であるか前記DICOM通信に接続されていた既存装置であるのかを示す情報を含む装置情報の登録要求を受けて前記登録情報記憶部に前記装置情報を書き込む。変更部は、前記登録情報記憶部に新規装置の識別情報と同一の既存装置の識別情報が記憶されている場合に前記新規装置の識別情報を変更する。
【００１０】
また、本発明の実施形態に係るDICOM通信システムは、DICOM通信サーバ及びDICOM通信クライアントとを備える。DICOM通信クライアントは、ネットワークを介して前記DICOM通信サーバと接続され、医用装置に設けられる。また前記DICOM通信クライアントは、装置情報記憶部及び登録要求部を有する。装置情報記憶部は、前記医用装置の識別情報及び前記医用装置が新規にDICOM通信に接続された新規装置であるか前記DICOM通信に接続されていた既存装置であるのかを示す情報を含む装置情報を記憶する。登録要求部は、前記装置情報の登録要求を前記DICOM通信サーバに前記ネットワークを介して送信する。一方、前記DICOM通信サーバは、登録情報記憶部、登録部及び変更部を備える。登録情報記憶部は、前記装置情報の登録要求を受けて前記登録情報記憶部に前記装置情報を書き込む。変更部は、前記登録情報記憶部に新規装置の識別情報と同一の既存装置の識別情報が記憶されている場合に前記新規装置の識別情報を変更する。
【００１１】
また、本発明の実施形態に係るDICOM通信プログラムは、コンピュータを、医用装置のDICOM通信クライアントから前記医用装置の識別情報及び前記医用装置が新規にDICOM通信に接続された新規装置であるか前記DICOM通信に接続されていた既存装置であるのかを示す情報を含む装置情報の登録要求を受けて記憶部に前記装置情報を書き込む登録部、及び前記記憶部に新規装置の識別情報と同一の既存装置の識別情報が記憶されている場合に前記新規装置の識別情報を変更する変更部として機能させる。
【図面の簡単な説明】
【００１２】
【図１】本発明の実施形態に係るDICOM通信システムの構成図。
【図２】図１に示す複数の医用装置の装置情報記憶部１０にそれぞれ保存される装置情報の一例を示す図。
【図３】図１に示すDICOM通信システムにおいて医用装置のAEタイトルを含む装置情報をDICOM通信サーバに登録する際の流れを示すシーケンスチャート。
【図４】図１に示すDICOM通信サーバにおいて新規装置のAEタイトルを変更するための判定処理の一例を示すフローチャート。
【発明を実施するための形態】
【００１３】
本発明の実施形態に係るDICOM通信システム及びDICOM通信プログラムについて添付図面を参照して説明する。
【００１４】
図１は本発明の実施形態に係るDICOM通信システムの構成図である。
【００１５】
DICOM通信システム１は、DICOM通信サーバ２と、複数の医用装置３Ａ、３Ｂに設けられた通信端末等のDICOM通信クライアントとをネットワーク４を介して接続した構成である。尚、医用装置３Ａ、３ＢのDICOM通信クライアント以外の構成については省略する。このため、以下、医用装置３Ａ、３ＢとDICOM通信クライアントとを区別せずに説明する。
【００１６】
医用装置３Ａ、３Ｂには、超音波診断装置、X線CT (computed tomography)装置、磁気共鳴イメージング(MRI: Magnetic Resonance Imaging）、核医学診断装置、X線診断装置等の画像診断装置や病院情報システム(HIS: hospital information system)、放射線情報システム(RIS: radiology information system)、医用画像保管通信システム(PACS: picture archiving and communication system)、臨床検査情報システム（LIS: Laboratory Information System）等の医用情報システムなどがある。尚、医用情報システムにDICOM通信サーバ２を内蔵することもできる。
【００１７】
医用装置３Ａ、３Ｂには、DICOM通信サーバ２に既に接続されている既存装置３ＡとDICOM通信サーバ２に新たに接続した新規装置３Ｂとがある。
【００１８】
DICOM通信サーバ２は、入力装置２Ａ、記憶装置２Ｂ及び演算装置２Ｃを備えたコンピュータを用いて構成される。DICOM通信サーバ２は、記憶装置２Ｂに保存されたサーバ用DICOM通信プログラムを演算装置２Ｃに読み込ませることにより、コンピュータの演算装置２Ｃを装置情報登録応答部５、AEタイトル重複検知部６、AEタイトル生成更新部７、AEタイトル検索応答部８として、記憶装置２Ｂを登録情報記憶部９として、それぞれ機能させたものである。
【００１９】
一方、新規装置３Ｂには、入力装置３Ｃの他、DICOM通信を行うための装置情報記憶部１０、装置情報登録要求部１１、AEタイトル検索要求部１２、AEタイトル変更検知部１３及びAEタイトル変更部１４が設けられる。これらの要素も新規装置３Ｂに備えられる記憶装置に保存されたクライアント用DICOM通信プログラムを演算装置に読み込ませることにより構築することができる。図１において既存装置３Ａの詳細構成は省略しているが、少なくとも装置情報記憶部１０及び装置情報登録要求部１１を備えており、新規装置３Ｂと同様に構成することもできる。また、新規装置３Ｂ及び既存装置３ＡのDICOM通信に関連しない要素については省略する。
【００２０】
尚、DICOM通信サーバ２及び医用装置３Ａ、３ＢのDICOM通信用の一部の要素を構成するために回路を用いてもよい。また、DICOM通信サーバ用プログラム及びDICOM通信クライアント用プログラムは、CD (compact disc)やUSB (Universal Serial Bus)メモリー等のメディアに記録してプログラムプロダクトとして流通させることもできる。
【００２１】
各医用装置３Ａ、３Ｂの装置情報記憶部１０には、AEタイトルを含むDICOM通信に必要な医用装置３Ａ、３Ｂごとの装置情報が保存される。AEタイトル等のユーザが任意に設定できる装置情報は、医用装置３Ａ、３Ｂに接続された入力装置３Ｃの操作によって装置情報記憶部１０に入力することができる。設定されたAEタイトルは、医用装置３Ａ、３Ｂの識別情報として用いられる。
【００２２】
図２は、図１に示す複数の医用装置３Ａ、３Ｂの装置情報記憶部１０にそれぞれ保存される装置情報の一例を示す図である。
【００２３】
図２は、２つの既存装置３Ａ及び１つの新規装置３Ｂにそれぞれ保存される装置情報の例を示している。装置情報の設定項目としては、図２に示すように、ホスト名、IP (Internet Protocol)アドレス、AEタイトル、ポート番号及びサービス種等の医用装置３Ａ、３Ｂの属性情報に加え、医用装置３Ａ、３Ｂが新規である既存であるかを示すステータスが挙げられる。
【００２４】
例えば、既存装置３Ａである医用装置Aの装置情報では、ホスト名の設定値がHostAに、IPアドレスの設定値が192.168.0.10に、AEタイトルの設定値がDICOM_LOCAL_SCUに、ポート番号の設定値が104に、サービス種の設定値がMWMに、ステータスの設定値が既存に、それぞれ設定されている。医用装置B及び医用装置Cについても同様に図２に示すように装置情報がそれぞれ設定されている。但し、医用装置Cは新規装置３Ｂであるため、ステータスの値が新規となっている。
【００２５】
尚、SCU (Service Class User)はDICOM通信において特定のサービスを利用する側であることを示しており、SCP (Service Class Provider)はサービスを提供する側であることを示しえいる。MWM（Modality Worklist Management)は、モダリティがRIS等の医用システムに問い合わせて予約済み検査情報を検索する予約検査情報発行制御を行うサービスであり、MPPS (Modality Performed Procedure Step)は、モダリティによる検査の実施状況をRIS等の医用システムに伝える検査状態通知制御を行うサービスである。また、STORAGEは、画像情報の送信及び受信を行うサービスである。
【００２６】
装置情報登録要求部１１は、装置情報記憶部１０に保存された装置情報を取得して、装置情報の登録要求を、ネットワーク４を介してDICOM通信サーバ２に送信する機能を有する。
【００２７】
DICOM通信サーバ２の装置情報登録応答部５は、医用装置３Ａ、３Ｂの装置情報登録要求部１１から装置情報とともに装置情報の登録要求を受けた場合に、登録要求を受けた装置情報のステータスが新規であるか既存であるかを判定する機能と、登録要求を受けた装置情報のステータスが新規である場合には登録要求を受けた装置情報を登録情報記憶部９に書き込む機能を有する。また、装置情報登録応答部５は、登録要求を受けた装置情報のステータスが既存である場合には、ステータスが既存であり、かつ登録要求を受けた装置情報のAEタイトルと同一のAEタイトルを設定値とする装置情報が登録情報記憶部９に保存されているか否かを判定し、保存されていないと判定された場合には登録要求を受けた装置情報を登録情報記憶部９に書き込む機能を有する。
【００２８】
従って、登録情報記憶部９には、図２に示すような複数の医用装置３Ａ、３Ｂに対応する複数の装置情報が保存され、集中管理可能な装置情報のデータベースが構築される。そして、登録情報記憶部９に、装置情報が保存されることにより、その装置情報の登録が実行される。また、既存装置３Ａ間では、AEタイトルの重複登録がなく、AEタイトルのユニーク性が確保される一方、既存装置３ＡのAEタイトルと同一のAEタイトルを設定値とする新規装置３Ｂの装置情報を登録させることができる。従って、新規装置３Ｂと既存装置３Ａ間においてはAEタイトルが重複登録される場合がある。
【００２９】
AEタイトル重複検知部６は、登録情報記憶部９に保存されている複数の医用装置３Ａ、３Ｂに対応する装置情報を検索し、新規装置３Ｂと既存装置３Ａ間において重複しているAEタイトルを検知する機能と、重複しているAEタイトルを検知した場合には、検知したAEタイトルをAEタイトル生成更新部７に通知する機能を有する。AEタイトル重複検知部６は、例えば、予め指定された時間や入力装置２Ａからの指示情報などをトリガとして登録情報記憶部９を検索するように構成することができる。或いは、装置情報登録応答部５が、既存装置３Ａの装置情報を登録情報記憶部９に書き込む都度、装置情報が登録されたことをAEタイトル重複検知部６に通知し、AEタイトル重複検知部６が、装置情報登録応答部５からの通知をトリガとして登録情報記憶部９を検索するように構成することもできる。
【００３０】
AEタイトル生成更新部７は、AEタイトル重複検知部６から重複するAEタイトルを受けた場合に、装置情報記憶部１０に保存されていない新たなAEタイトルを生成する機能と、生成した新たなAEタイトルをステータスの設定値が新規となっている新規装置３Ｂの装置情報に割り当てることによって装置情報記憶部１０に保存されているAEタイトルを更新する機能を有する。
【００３１】
尚、新規装置３Ｂの装置情報において重複しているAEタイトルが更新された場合に、AEタイトル生成更新部７が装置情報のステータスの設定値を既存に更新するようにしてもよい。但し、AEタイトルが更新され、重複していないことを示す情報をAEタイトル生成更新部７が装置情報に付加し、入力装置２Ａからの指示情報などをトリガとしてステータスの設定値を既存に更新するようにしてもよい。
【００３２】
AEタイトル検索応答部８は、医用装置３Ａ、３ＢからAEタイトルの検索要求をネットワーク４を介して受信した場合に、登録情報記憶部９を検索して対応するAEタイトルを取得する機能と、取得したAEタイトルを対応する医用装置３Ａ、３Ｂにネットワーク４を介して送信することによって通知する機能を有する。
【００３３】
一方、医用装置３Ａ、３ＢのAEタイトル検索要求部１２は、DICOM通信サーバ２の登録情報記憶部９に登録された自局情報であるAEタイトルの検索要求情報を、所望の時点においてネットワーク４を介してDICOM通信サーバ２のAEタイトル検索応答部８に送信する機能と、要求に対する応答としてAEタイトル検索応答部８から取得したAEタイトルをAEタイトル変更検知部１３に与える機能とを有する。検索要求情報の送信のためのトリガとしては、入力装置３Ｃからの指示情報やイメージング動作の終了情報などを用いることができる。
【００３４】
AEタイトル変更検知部１３は、装置情報記憶部１０に保存された、つまり初期設定されたAEタイトルを取得し、装置情報記憶部１０に保存されたAEタイトルとAEタイトル検索応答部８から取得したAEタイトルとを比較することによりAEタイトルの変更を検知する機能を有する。すなわち、AEタイトル変更検知部１３は、新規装置３Ｂにおいて初期設定されたAEタイトルがDICOM通信サーバ２において変更されて登録されたか否かを検知する機能を備えている。そして、AEタイトル変更検知部１３は、AEタイトルが変更されている場合にはAEタイトル検索応答部８から取得したAEタイトルを、AEタイトル変更部１４に与えるように構成される。
【００３５】
尚、AEタイトル検索要求部１２が、AEタイトル検索応答部８から取得したAEタイトルを初期設定されたAEタイトルとは別に装置情報記憶部１０に一旦書き込み、AEタイトル変更検知部１３が入力装置３Ｃからの指示情報などのトリガに応答して装置情報記憶部１０から読み込んだ２つのAEタイトルを比較するように構成してもよい。
【００３６】
AEタイトル変更部１４は、AEタイトル変更検知部１３からDICOM通信サーバ２における変更後のAEタイトルを取得した場合には、装置情報記憶部１０に保存されたAEタイトルを、変更後のAEタイトルに更新する機能を有する。
【００３７】
尚、装置情報記憶部１０に保存された装置情報のステータスの設定値は、入力装置３Ｃの操作によって、所望のタイミングで新規から既存に変更することができる。例えば、全ての既存装置３Ａの装置情報がDICOM通信サーバ２に登録された後などに入力装置３Ｃの操作によってステータスを新規から既存に変更することができる。
【００３８】
次にDICOM通信システム１の動作および作用について説明する。
【００３９】
図３は、図１に示すDICOM通信システム１において医用装置３Ａ、３ＢのAEタイトルを含む装置情報をDICOM通信サーバ２に登録する際の流れを示すシーケンスチャートである。
【００４０】
ここでは、既存装置３ＡのAEタイトルと同一のAEタイトルを含む新規装置３Ｂの装置情報を既存装置３Ａよりも先にDICOM通信サーバ２に登録する場合を例に説明する。
【００４１】
まずステップＳ１において、新規装置３Ｂにおいて、AEタイトルを含む装置情報が設定される。設定された装置情報は、新規装置３Ｂ内の装置情報記憶部１０に保存される。
【００４２】
次に、ステップＳ２において、新規装置３Ｂの装置情報登録要求部１１は、装置情報記憶部１０に保存された装置情報を取得して、DICOM通信サーバ２に装置情報の登録要求を行う。
【００４３】
そうすると、ステップＳ３において、DICOM通信サーバ２の装置情報登録応答部５は、登録要求を受けた装置情報のステータスが新規であるか既存であるかを判定する。そして、装置情報登録応答部５は、装置情報のステータスが新規であると判定する。
【００４４】
このため、ステップＳ４において、装置情報登録応答部５は、新規装置３Ｂの装置情報をDICOM通信サーバ２の登録情報記憶部９に書き込む。これにより、DICOM通信サーバ２に新規装置３Ｂの装置情報が登録される。
【００４５】
一方、ステップＳ５において、新規装置３Ｂは撮像が可能となり、撮像状態又は休止状態となる。
【００４６】
次に、ステップＳ６において、既存装置３Ａにおいて、AEタイトルを含む装置情報が設定される。設定された装置情報は、既存装置３Ａ内の装置情報記憶部に保存される。
【００４７】
次に、ステップＳ７において、既存装置３Ａの装置情報登録要求部は、既存装置３Ａの装置情報記憶部に保存された装置情報を取得して、DICOM通信サーバ２に装置情報の登録要求を行う。
【００４８】
そうすると、ステップＳ８において、DICOM通信サーバ２の装置情報登録応答部５は、登録要求を受けた装置情報のステータスが新規であるか既存であるかを判定する。そして、装置情報登録応答部５は、装置情報のステータスが既存であると判定する。このため、装置情報登録応答部５は、同一のAEタイトルを設定値とする他の既存装置３Ａの装置情報が登録情報記憶部９に保存されているか否かを判定する。ここでは、装置情報登録応答部５は、同一のAEタイトルを設定値とする他の既存装置３Ａの装置情報が登録情報記憶部９に保存されていないと判定するものとする。
【００４９】
このため、ステップＳ９において、装置情報登録応答部５は、登録要求を受けた既存装置３Ａの装置情報を登録情報記憶部９に書き込む。これにより、DICOM通信サーバ２に既存装置３Ａの装置情報が登録される。また、装置情報登録応答部５は、既存装置３Ａの装置情報が登録されたことをAEタイトル重複検知部６に通知する。
【００５０】
そうすると、ステップＳ１０において、AEタイトル重複検知部６は、登録情報記憶部９に保存されている複数の医用装置３Ａ、３Ｂに対応する装置情報を検索し、新規装置３Ｂと既存装置３Ａ間において重複しているAEタイトルが存在するか否かを判定する。ここでは、AEタイトル重複検知部６が重複しているAEタイトルが存在すると判定するものとする。このため、AEタイトル重複検知部６は、重複しているAEタイトルを検知し、検知したAEタイトルをAEタイトル生成更新部７に通知する。
【００５１】
尚、AEタイトル重複検知部６は、入力装置２Ａからの検索開始の指示情報をトリガとして重複しているAEタイトルの検索を開始するようにしてもよい。
【００５２】
次に、ステップＳ１１において、AEタイトル生成更新部７は、装置情報記憶部１０に保存されていない新たなAEタイトルを生成し、生成した新たなAEタイトルを新規装置３Ｂの装置情報に割り当てる。これにより、装置情報記憶部１０に保存されている新規装置３ＢのAEタイトルが更新される。
【００５３】
一方、ステップＳ１２において、既存装置３Ａは撮像が可能となり、撮像状態又は休止状態となる。
【００５４】
また、新規装置３Ｂの撮像が終了し、休止状態となる。そして、例えば新規装置３Ｂの入力装置３ＣからAEタイトル検索要求部１２にDICOM通信サーバ２へのAEタイトルの検索要求指示が入力される。
【００５５】
そうすると、ステップＳ１３において、新規装置３ＢのAEタイトル検索要求部１２は、DICOM通信サーバ２に、新規装置３ＢのAEタイトルの検索要求を行う。
【００５６】
このため、ステップＳ１４において、DICOM通信サーバ２のAEタイトル検索応答部８は、登録情報記憶部９を検索し、対応する新規装置３ＢのAEタイトルを取得する。そして、AEタイトル検索応答部８は、取得したAEタイトルを新規装置３Ｂに通知する。
【００５７】
次に、ステップＳ１５において、新規装置３ＢのAEタイトル検索要求部１２は、AEタイトル検索応答部８からAEタイトルを取得し、取得したAEタイトル変更検知部１３に与える。そして、AEタイトル変更検知部１３は、装置情報記憶部１０に保存されたAEタイトルとAEタイトル検索応答部８から取得したAEタイトルとを比較することによりDICOM通信サーバ２において自局のAEタイトルが変更されたか否かを判定する。AEタイトルは、ステップＳ１１において変更されているため、AEタイトル変更検知部１３はAEタイトルが変更されたと判定し、AEタイトルの変更を検知する。そして、AEタイトル変更検知部１３は、AEタイトル検索応答部８から取得した変更後のAEタイトルをAEタイトル変更部１４に与える。
【００５８】
次に、ステップＳ１６において、AEタイトル変更部１４は、装置情報記憶部１０に保存されたAEタイトルを、AEタイトル変更検知部１３から取得した変更後のAEタイトルに更新する。これにより、装置情報記憶部１０には、重複しないようにDICOM通信サーバ２において変更されたAEタイトルが保存される。
【００５９】
そして、ステップＳ１７において、新規装置３Ｂは撮像が可能となり、撮像状態又は休止状態となる。
【００６０】
一方、ステップＳ１８において、DICOM通信サーバ２は、装置情報の登録要求及びAEタイトルの検索要求の監視状態となる。
【００６１】
図４は、図１に示すDICOM通信サーバ２において新規装置３ＢのAEタイトルを変更するための判定処理の一例を示すフローチャートである。
【００６２】
DICOM通信サーバ２側において新規装置３ＢのAEタイトルを変更する処理は、例えば図４に示すフローチャートのようになる。
【００６３】
すなわち、ステップＳ２０において、DICOM通信サーバ２は、装置情報の登録要求の監視状態となっている。
【００６４】
そして、医用装置３Ａ、３Ｂから装置情報の登録要求があると、ステップＳ２１において、装置情報登録応答部５は、登録要求が検知されたと判定する。
【００６５】
次に、ステップＳ２２において、装置情報登録応答部５は、登録要求されている装置情報において、AEタイトルが更新されているか否かを判定する。
【００６６】
そして、AEタイトルが更新されていると判定された場合には、ステップＳ２３において、装置情報登録応答部５が、登録要求があった装置情報が新規装置３Ｂのものであるか否かを判定する。すなわち、装置情報のステータスが新規であるか既存であるかが判定される。
【００６７】
そして、登録要求があった装置情報が新規装置３Ｂのものでないと判定された場合には、ステップＳ２４において、AEタイトル重複検知部６が、AEタイトルが重複しているか否かを判定する。つまり、登録情報記憶部９に、登録要求のあったAEタイトルと同一のAEタイトルを含む装置情報が保存されているか否かが判定される。
【００６８】
そして、AEタイトルが重複していると判定され、かつ装置情報登録応答部５が登録要求のあったAEタイトルと同一のAEタイトルを含む他の既存装置３Ａの装置情報が登録情報記憶部９に保存されていないと判定した場合には、ステップＳ２５において、AEタイトルの重複先が新規装置３Ｂであると判定される。
【００６９】
この場合、ステップＳ２６において、AEタイトル生成更新部７は、装置情報記憶部１０に保存されている新規装置３ＢのAEタイトルを付け替えて変更する。
【００７０】
一方、ステップＳ２１〜ステップＳ２５の判定においてNOと判定された場合には、装置情報記憶部１０に保存されている新規装置３ＢのAEタイトルは変更されずにDICOM通信サーバ２は装置情報の登録要求の監視状態となる。
【００７１】
つまり以上のような、DICOM通信システム１は、医用装置がDICOM通信サーバ２に新たに接続された新規装置３Ｂであることを示す識別情報を項目として有する装置情報をDICOM通信サーバ２に登録できるようにしたものである。更に、DICOM通信システム１は、DICOM通信サーバ２に登録要求のあったAEタイトルが新規装置３Ｂのものである場合にはそのまま登録する一方、登録要求のあったAEタイトルが既存装置３Ａのものである場合には既に登録されているAEタイトルとの重複を確認し、重複する新規装置３ＢのAEタイトルを変更登録するようにしたものである。
【００７２】
このため、DICOM通信システム１によれば、既存装置３ＡのAEタイトルの登録が新規装置３ＢのAEタイトルの登録に対して優先される。これにより、既存装置３ＡのAEタイトルを変更せざるを得ないといった影響を与えることなくDICOM Supplement 67を既存のDICOM通信に導入することができる。すなわち、医用装置３Ａ、３Ｂ側からDICOM通信サーバ２にアクセスしてDICOM通信サーバ２に保存された自局の装置情報を更新するUpdateトランザクション及び相手局のAEタイトルを含む装置情報を検索するQueryトランザクションを既存の運用に影響を与えることなくDICOM通信の拡張規格として実行することができる。
【００７３】
また、DICOM通信システム１では、DICOM通信サーバ２において自動的に重複する新規装置３ＢのAEタイトルが変更されるとともに、新規装置３Ｂからの自局情報の検索要求に対する応答としてDICOM通信サーバ２から変更後のAEタイトルが新規装置３Ｂに通知される。つまり、DICOM通信サーバ２から医用装置３Ａ、３Ｂに問い合わせせずに、新規装置３Ｂ側においてAEタイトルが変更されているか否かを所望の時点で確認し、DICOM通信サーバ２から取得した自局情報を用いてAEタイトルを再設定することができる。
【００７４】
このため、撮像中である可能性のある医用装置３Ａ、３Ｂへの問い合わせを回避し、医療における安全を確保することができる。また、DICOM通信サーバ２から医用装置３Ａ、３Ｂへの問い合わせといった特別な規格を用いることなく、DICOM通信の規格の範囲内においてDICOM Supplement 67の導入を行うことができる。
【符号の説明】
【００７５】
１  DICOM通信システム
２  DICOM通信サーバ
２Ａ  入力装置
２Ｂ  記憶装置
２Ｃ  演算装置
３Ａ  医用装置（既存装置）
３Ｂ  医用装置（新規装置）
３Ｃ  入力装置
４  ネットワーク
５  装置情報登録応答部
６  AEタイトル重複検知部
７  AEタイトル生成更新部
８  AEタイトル検索応答部
９  登録情報記憶部
１０  装置情報記憶部
１１  装置情報登録要求部
１２  AEタイトル検索要求部
１３  AEタイトル変更検知部
１４  AEタイトル変更部
【図１】
0005523975.tif 000002
【図２】
0005523975.tif 000003
【図３】
0005523975.tif 000004
【図４】
0005523975.tif 000005